(57)【特許請求の範囲】
【請求項１】
階層をなす１層のセルが、該階層のもう１つの層のセルとは異なるサイズを有するセル階層からなるシステムの中で、セルの再選択を実施するための方法において、
隣接するセルリスト内の個々のセルが連係する層をユーザ機器に対し識別させる段階と、
再選択を目的として隣接するセルの測定を実施するときに、セル選択（Ｓ）パラメータがサーチ閾値パラメータ（Ｓsearch）より低くかつゼロより大きくならない限り、現在サービス中のセルより大きい、リスト内のセルの測定を回避する段階と、
Ｓがゼロ以下である場合、そしてより優れたセルに対するいかなるセル再選択も処理中でない場合に、その階層レベルと関わりなく隣接セルの測定を開始する段階と、
を含んでなる方法。
【請求項２】
ユーザ機器が時間Ｔmax内で同じ階層の層上でのＮ個の異なるセルに対してセル再選択を行った場合、ユーザ機器がより大きな隣接セルのための再選択手順を開始する請求項１に記載の方法。
【請求項３】
ユーザ機器が、Ｓｎ＞０およびＱｎ＞Ｑｓ＋Ｑoffsets,n＋Ｑhystが時間Ｔreselectionの間有効であるというセル再選択基準を満たす、より大きなセルを特定した場合には、そのより大きなセルに対するセル再選択が行われる請求項２に記載の方法。
【請求項４】
ユーザ機器がより大きなセルに対するセル再選択を実施した場合、セル評価が即時にトリガーされない限り、ユーザ機器は時間Ｘ内に、より小さなセルに対し再選択を行うことを試みず、時間Ｘはネットワーク仕様書により規定でき、あるいはネットワークにより設定することもできる、請求項３に記載の方法。
【請求項５】
セルの再選択手順は、ユーザ機器がアイドル状態にあるときに実施される請求項１に記載の方法。
【請求項６】
セルの再選択手順は、ユーザ機器が接続状態にあるときに実施される請求項１に記載の方法。
【請求項７】
セル階層で構成された無線通信システムにおいて、該階層の１つの層のセルが該階層のもう１つの層のセルとは異なるサイズを有するシステムであって、無線通信ネットワークのセル内に位置するユーザ機器を含み、前記無線通信ネットワークは隣接セルリスト内の個々のセルが連係する層をユーザ機器に対し識別させ、該ユーザ機器は、セル選択（Ｓ）パラメータがサーチ閾値パラメータ（Ｓsearch）より下回りかつゼロよりも大きくならない限り、現在サービス中のセルよりも大きい、リスト内のセルの測定を回避するため再選択目的で隣接セル測定を実施するときに、該識別に対して応答し、また前記ユーザ機器は、その階層レベルに関わりなく隣接セルの測定を開始するため、Ｓがゼロ以下でありより優れたセルに対するいかなるセルの再選択も処理中でない、という条件に対して応答する、無線通信システム。
【請求項８】
ユーザ機器が時間Ｔmax内で同じ階層の層上でのＮ個の異なるセルに対してセル再選択を行った場合、ユーザ機器がより大きな隣接セルのための再選択手順を開始する請求項７に記載のシステム。
【請求項９】
ユーザ機器が、Ｓｎ＞０およびＱｎ＞Ｑｓ＋Ｑoffsets.n＋Ｑhystが時間Ｔreselectionの間有効であるというセル再選択基準を満たす、より大きなセルを特定した場合には、そのより大きなセルに対するセル再選択が行われる請求項８に記載のシステム。
【請求項１０】
ユーザ機器がより大きなセルに対するセル再選択を実施した場合、セル評価が即時にトリガーされない限りユーザ機器は時間Ｘ内により小さなセルに対し再選択を行うことを試みず、時間Ｘはネットワーク仕様書により規定でき、あるいはネットワークにより設定することもできる請求項９に記載のシステム。
【請求項１１】
セルの再選択手順は、ユーザ機器がアイドル状態にあるときに実施される請求項７記載のシステム。
【請求項１２】
セルの再選択手順は、ユーザ機器が接続状態にあるときに実施される請求項７に記載のシステム。
【発明の詳細な説明】
【０００１】
（発明の分野）
本発明は一般には、無線電話システム、より特定的にはセルラー通信システムにおいて、ユーザ機器（ＵＥ：User Equipment）がセル内で動作し、セル選択および再選択オペレーションを実施する能力を有するセルラー通信システムに関する。
【０００２】
（発明の背景）
セルラー通信システムにおいては、セルラー電話、パーソナルコミュニケータ、パケットデータ端末などといったような移動局がその内側で動作可能なカバーエリア（セル）を、各々が有する複数の基地局または基地サイトが設けられる。これらのさまざまなデバイスを集合的にユーザ機器（ＵＥ）と称することができる。ＵＥが、セルとの関係において動き得る場合には、ＵＥはセルからセルへと移動することができる。これには、セル間のハンドオーバ手順が必要となる。ハンドオーバの１つの側面は、ＵＥが周囲（隣接）セル信号測定、測定報告、そして重要なことは選択／再選択オペレーションを実施する能力を通常有する、という点にある。重要な目標は、ＵＥが、ＵＥの通信要求に対して常にサービス可能なセルと確実に動作するようにすることにある。
【０００３】
現在開発中の１つの近代的なセルラー通信システムは、第３世代パートナシッププロジェクト（３ＧＰＰ）として知られている。３ＧＰＰシステムのためのシステム仕様書は、融通性を提供しながらも、ＵＥ実施の観点からみた場合セル再選択手順についてさほど要求の高くないことが望ましい。セルの再選択のための周波数間測定は、バッテリ寿命、ひいてはＵＥの通話時間および待機時間を減少させることなく、ＵＥがなおも確実にページングメッセージを正しく受信できるような形で実施されるべきである。
【０００４】
現在、３ＧＰＰ ＷＧ２技術仕様書、ＴＳ２５,３０４Ｖ.３．.０.０.（１９９９−１０）は、ＵＥとＵＭＴＳ（汎用移動遠隔通信システム）地上無線アクセスネットワーク（またはＵＴＲＡＮ）との両方の観点から見て効率良く、ＵＥがいかにその他の周波数（異なる層上の、または同じ層上であるが異なる周波数のセル）を測定し、これに対するセルの再選択が行われるべきか、について規定していない。この仕様書は、測定およびセルの再選択についてのいくつかの優先順位を設定してはいるが、これらの優先順位はあらゆる点で最適というわけではない。
【０００５】
３ＧＰＰ ＷＧ２技術仕様書、ＴＳ２５,３０４  Ｖ.３..０.０.（１９９９−１０）は、その全てを本明細書全体に亘って参考として取り入れている。
【０００６】
簡単に言うと、セル再選択の目的は、ＵＥがとどまるのに最良のセルを定期的に探すことにあり、より優れたものが発見されたときに現在サービス中のセルが変更される。セルがより優れたものであるための基準は、周波数内／間（intra/inter frequency）および無線アクセスシステム間の再選択について異なるものである。
【０００７】
セル再選択のためにセルを評価する場合には、以下の段階が実施される：
（Ａ）とどまることのできるセルの候補リストは、サービス中のセルのシステム情報内に周波数内／間および無線アクセスシステム内の再選択のためのセルを含む。
【０００８】
（Ｂ）候補セルリスト内の現ＵＭＴＳ地上無線アクセス（ＵＴＲＡ）モードセルの各々について、セル選択（Ｓ）値および各セルについての品質（Ｑ）値を計算する。
【０００９】
（Ｃ）どのタイプのセルが候補セルリスト上にあるか（周波数内、周波数間および無線アクセスシステム間）に応じて、対応する基準を最も良く満たすセルを選択する。
【００１０】
複数のセルがその対応する基準を満たす場合には、以下の順序で、より優れたセルが優先される。
（１）周波数内隣接セル
（２）周波数間隣接セル
（３）無線アクセスシステム間隣接セル。
【００１１】
より優れた周波数内セルのための基準は、３ＧＰＰ ＷＧ２技術仕様書、ＴＳ２５,３０４  Ｖ.３..０.０.（１９９９−１０）の第５.２.２.４.２節の中に見い出される。すなわち、
Ｓｎ＞０
Ｑｎ＞Ｑｓ＋Ｑoffsets.n＋Ｑhyst
周波数間（inter-frequency）のセルの再選択評価には、周波数内（intra-frequency）のセルの再選択と同じ基準が用いられる。
【００１２】
セル選択値Ｓは、３ＧＰＰ ＷＧ２技術仕様書、ＴＳ２５,３０４  Ｖ.３..０.０（１９９９−１０）の第５.２.２.１.２節の中で、次のように規定されている。
【００１３】
Ｓ＝Ｑ−Ｑmin −Ｐcompensation
ＵＥアイドルモードでは２つのセル層を伴う階層セル構造をサポートするために、また接続モードではセル選択および再選択のため、周波数内セルの再選択基準内に新しいパラメータを提供すべく、３ＧＰＰ ＷＧ２技術仕様書に対する変更が提案された（それぞれフランスのソフィアアンチポリスでの３ＧＰＰ ＴＳＧ−ＲＡＮＷＧ２会議＃９で１９９９年１１月２９日〜１２月３日に公表された２５,３０４バージョン３.０.０（Ericsson) に対し行われた変更要請番号５、およびフランス、ソフィアアンチポリスでの３ＧＰＰ ＴＳＧ−ＲＡＮ ＷＧ２会議＃９で１９９９年１１月２９日〜１２月３日に公表された２５,３０４バージョン３.０.０.（Ericsson) に対し行われた変更要請番号２ｒ１。これらの変更要請文書の各々の開示は、その全体を本明細書全体に亘って参考として取り入れている）。
【００１４】
また、変更要請番号５においては、マイクロセルのセル半径を制御するための絶対閾値をオペレータに与えるために、任意のQhesパラメータが提案されている。
【００１５】
本発明者は、階層セル構造を提供するための現在提案されている技術において、特定的にはセルの再選択手順に関して問題が存在することを認識した。
【００１６】
（発明の目的と利点）
本発明の目的および利点は、セル通信ネットワークで使用するための改良型セルの再選択手順を提供することにある。
【００１７】
本発明の別の目的および利点は、階層セル構造を有するセルラー通信ネットワーク内で使用するための改良型セルの再選択手順を提供することにある。
【００１８】
本発明のもう１つの目的および利点は、ユーザ機器が階層のより高いところにあるより小さなセルに対し再選択を行うようにすべくバイアスされた階層セル構造内で使用するための改良型セルの再選択手順において、ユーザ機器の速度を、小さい方のセルのときとは反対に、大きい方のセルに対する再選択をユーザ機器に実施させるときに考慮事項とするような、手順を提供することにある。
【００１９】
（発明の要約）
本発明の実施形態による方法および装置により、上記のおよびその他の問題が解消され、本発明の目的および利点が実現される。
【００２０】
本発明は、１つの態様において、階層をなす１層のうちのセルが、該階層のもう１つの層のセルとは異なるサイズをもつセル階層からなるシステムの中で、セルの再選択を実施するための方法を提供している。該方法には、（ａ）隣接するセルリスト内の個々のセルが連係している層をユーザ機器に対し識別させる段階と、（ｂ）再選択を目的として隣接するセルの測定を実施するときに、セル選択（Ｓ）パラメータがサーチ閾値パラメータ（Ｓsearch）より低くかつゼロより大きくならない限り、現在サービス中のセルより大きい、リスト内のセルの測定を回避する段階と、（ｃ）Ｓがゼロ以下である場合、そしてより優れたセルに対するいかなるセル再選択も処理中でない場合に、その階層レベルと関わりなく隣接セルの測定を開始する段階と、が含まれる。
【００２１】
ユーザ機器が時間Ｔmax内で同じ階層の層上でのＮ個の異なるセルに対してセル再選択を行った場合、ユーザ機器はより大きな隣接セルのための再選択手順を開始する。この手順は、セルを通って比較的高速で移動するユーザ機器に対処するものである。ユーザ機器が、時間Ｔreselectionについて、Ｓｎ＞０およびＱｎ＞Ｑｓ＋Ｑoffsets.n＋Ｑhystというセル再選択基準を満たす、より大きなセルを特定した場合には、そのより大きなセルに対するセル再選択が行われる。さらに、ユーザ機器がより大きなセルに対するセル再選択を実施した場合、セル評価が即時にトリガーされない限り、ユーザ機器は時間Ｘ内により小さなセルに対し再選択を行うことを試みず、ここで、時間Ｘは予め規定でき、あるいはネットワークにより設定することもできる。
【００２２】
本発明の上述のおよびその他の特徴は、添付図面と合わせて以下の発明の詳細な説明を読むことによりさらに明確になる。
【００２３】
（発明の詳細な説明）
図１を参照すると、本明細書中においてユーザ機器（ＵＥ）とも称する複数の移動端末または移動局１０を含む、典型的な無線遠隔通信システム１の実施形態の簡略化されたブロック図が示されている。図中、２つの移動局（ＭＳ）が示されており、その１つはＭＳ＃１と呼称され、もう１つはＭＳ＃２と呼称されている。図１はまた、例えば、公衆電話交換網つまりＰＳＴＮといったような遠隔通信ネットワークに接続するための移動交換センター（ＭＳＣ）３と、少なくとも１つの基地局コントローラ（ＢＳＣ）４と、予め定められたエアインタフェース規準に従って移動局１０に対し物理および論理チャネルの両方を、順方向またはダウンリンク方向に伝送する複数の基地トランシーバ局（ＢＴＳ）５とを有するネットワークオペレータ２の一例をも示している。逆方向またはアップリンク通信経路が移動局１０からネットワークオペレータまで存在し、これが、移動局発信のアクセス要求およびトラヒックを搬送し、本発明の技術思想を実現するためのシグナリングも行う。ＢＴＳ５は、以下で記述するように、異なるサイズ、異なる周波数等々でありうるセルを規定する。
【００２４】
エアインタフェース規準は、時分割多元アクセス（ＴＤＭＡ）エアインタフェースに適合するものであってよく、ネットワークは、ＵＭＴＳネットワークまたはその他のタイプのネットワークであってよい。ただし、本発明の技術思想は、符号分割多元アクセス（ＣＤＭＡ）ネットワークならびにその他のネットワークタイプにも同様にあてはまる。
【００２５】
ネットワークオペレータ２は、ショートメッセージサービス（ＳＭＳ）メッセージといった移動局１０向けのメッセージを受信し転送するメッセージサービスセンタ（ＭＳＣＴ）６，またはｅ−メールおよび補足データサービスを含む任意の無線メッセージ送信技術を含めることができる。その上、ネットワークと移動局との間で画像メッセージ，ビデオメッセージ，オーディオメッセージ，テキストメッセージ，その他の実行可能メッセージなどおよびそれらの組合せを転送できる、現在開発中でマルチメディアメッセージングサービス（ＭＭＳ）として知られているもの、のようなＳＭＳに対するエンハンスメントも使用可能である。
【００２６】
移動局つまりＵＥ１０は標準的に、表示装置１４の入力端に結合された出力端と、キーボードまたはキーパッド１６の出力端に結合された入力端とを有するマイクロコントロールユニット（ＭＣＵ）１２を含む。移動局１０は、セルラー電話またはパーソナルコミュニケータといったようなハンドヘルド無線電話であるとみなすことができ、音声通信を行うためのマイクロホンおよびスピーカ（図示せず）を有することができる。移動局１０は、使用中に別のデバイスに接続されるカードまたはモジュール内に収納されていてもよい。例えば、移動局１０は、ラップトップまたはノートブックコンピュータさらにはユーザが装着できるコンピュータといったようなポータブルデータプロセッサ内での使用中にインストールされる、ＰＣＭＣＩＡまたはそれに類似したタイプのカードまたはモジュールの中に収納され得る。
【００２７】
ＭＣＵ１２は、オペレーティングプログラムを記憶するための読取り専用メモリ（ＲＯＭ）ならびに必要とされるデータ、スクラッチパッドメモリ、受信したデータパケットおよび伝送用に作成されたデータパケットなどを一時的に記憶するためのランダムアクセスメモリ（ＲＡＭ）を含めたいくつかのタイプのメモリ１３を含むかまたはそれに結合されるものと想定する。メモリ１３は、セルの再選択を実施するためＵＥ１０により用いられる、本発明の内容において以下に論述されているさまざまなパラメータを記憶するものと想定する。
【００２８】
個別の取外し自在なＳＩＭ（図示せず）も具備されていてよく、これは、例えば好ましい公衆陸上移動網（ＰＬＭＮ）リストおよびその他の加入者関連情報を記憶する。ＲＯＭは、本発明の目的では、現在好ましい実施形態に従って動作するのに必要とされるソフトウェアルーチンをＭＣＵ１２が実行できるようにするプログラムを記憶するものと、想定する。
【００２９】
移動局１０はまた、ディジタルシグナルプロセッサ（ＤＳＰ）１８または同等の高速プロセッサならびに、共にネットワークオペレータ２との通信のためアンテナ２４に結合されている送信機２０および受信機２２からなる無線トランシーバを含む無線区分をも収納している。受信機２２は、以下でさらに詳細に記述するように、セルの再選択プロセスにおいて用いられる信号測定を行うために使用される。
【００３０】
図２は、番号が階層内の異なるレベルを表わす、例示的階層セル構造を示す。標準的に最小のセルである最高の階層レベルは、番号１と呼称される。例えば重いロードに対処するために同じ階層の層上で異なる周波数を使用することもできるが、異なる層は標準的に異なる周波数を用いて作成される。図２には３つの層が示されているが、３つより多いまたは少ないレベルが存在することも可能である。本発明の技術思想は、２つ以上の層をもつあらゆる階層セル構造に適用される。
【００３１】
ネットワーク２の観点から見ると、低い方の層から高い方の層へまたはマクロセルからミクロセルへといったように、より小さなセルへとＵＥ１０を移行させることが望ましい。このことは、小さい方のセルのロードが過剰でない場合およびＵＥ１０の速度が過度に高くない場合に望まれる。高いロードを受けた呼に対するセルの再選択は、再選択オフセットパラメータＱoffsets.nに対し適切な値を設定することによって防止できる。これらのパラメータは、好ましくは、ネットワーク２により設定される。
【００３２】
複数の周波数が使用されているネットワーク２内のセル再選択手順を最適化するためには、サービス中のセルの測定制御情報の隣接セルリスト中で、各隣接セルがどの階層の層に属しているかを表示することが１つの好ましい特徴である。この情報を提供することにより、そのとき層の間（そして異なる周波数間）での効率の良い測定およびセルの再選択のために規則を作ることが可能となる。
【００３３】
＜周波数間測定およびセルの再選択の規則＞
まず第１に、ＵＥ１０の速度が過度に高くないケース（高速のケースについては、後に論述する）を考慮する。
【００３４】
（Ａ）サービス中のセルの隣接セルリスト内にその階層内の高い方のレベルに属する（すなわち現在サービス中のセルの層番号より小さい層番号をもつ）隣接セルが存在する場合には常に、ＵＥ１０は、小さい方のセルを検出し測定する。タイマーＴreselection 内でセルの再選択基準Ｓｎ＞０，およびＱｎ＞Ｑｓ＋Ｑoffsets.n＋Ｑhystが満たされている場合、ＵＥ１０は、セルの再選択を行う。同じ階層レベル上のセルも、それが同じ周波数にあるか異なる周波数にあるかに拘わらず、ＵＥ１０が受信範囲を失わないよう保証する目的で測定される。しかしながら、現在サービス中のセルよりも大きいセル（低位層上）は、次の条件が満たされない限り測定／検出はされない。
【００３５】
（Ｂ）現在サービス中のセルがそれよりも大きい（すなわち現在サービス中のセルの層番号よりも大きい層番号を有する）隣接セルを有する場合、これらの隣接セルは、現在サービス中のセルのパラメータＳ（ここでもまた３ＧＰＰ  ＷＧ２技術仕様書、ＴＳ２５,３０４  Ｖ.３..０.０.（１９９９−１０）の第５.２.２.１.２節参照のこと）が、閾値Ｓsearchより小さく（０＜Ｓ＜Ｓsearch）なるまで測定されない。
【００３６】
Ｓsearchは、本発明の態様に従った新しいパラメータであり、好ましくはネットワーク２により設定される。パラメータＳは、ＵＥ１０がどのセルにアクセスできるかを規定する。この目的では、ＵＥの最大送信機出力を考慮に入れ、かくしてＵＥ１０がなおもセルにアクセスできるか否かの検査を実施することから、パラメータＳがパラメータＱよりも好ましい。このサーチは、Ｓsearchが（Ｓsearch＋Ｓhyst）よりも大きくなったときに、停止される。Ｓhystは、仕様書中に予め規定されているまたはネットワーク２によって設定されるヒステリシスパラメータである。
【００３７】
（Ｃ）サービス中のセルについて、Ｓがゼロ以下になり（Ｓ≦０）、Ｓｎ＞０およびＱｎ＞Ｑｓ＋Ｑoffsets.n＋Ｑhystで、より優れたセルへのいかなるセルの再選択も処理中でない場合には常に、（隣接セルリストに従った）考えられる全ての階層の層上での全ての隣接セルについて、周波数間即時セル評価が行われる。これはすなわち、ＵＥ１０が、隣接セルにどの階層の層が連係しているか、ということとは無関係に、隣接セルリスト上の全ての隣接セルを検出し測定しようと試みるということを意味する。次に、（例えばＱn−Ｑoffsets,nまたはＱnといった）最高の品質測度を持つセルが選択される。測定されたセルのＳの値が選択基準を満たさない場合、サーチを、隣接セルリストにより指示された周波数内の考えられる全てのセルに拡張することができる。このタイプの即時セル評価（immediate cell evaluation）により、ＵＥ１０がネットワーク受信範囲を失わないことが保証される。
【００３８】
このタイプの即時セル評価は、３ＧＰＰ  ＷＧ２技術仕様ＴＳ２５,３０４  Ｖ.３..０.０（１９９９−１０）内に記述された通常の即時セル評価の場合のように、ＲＡＣＨに先立って開始されることがないという点に留意すべきである。
【００３９】
小さい方のセル（例えばマイクロまたはピコセル）を通って高速で走行するＵＥに対処するためには、セルの再選択手順に対しその他の新しいパラメータを２つ付加することができる。このようにして、ある種の速度閾値より高い速度で走行するようなＵＥを、より低い層上のより大きなセル、例えばマクロセルまで移動させることができ、不要なセルの再選択を回避することができる。
【００４０】
さらにこの点において、ＵＥ１０が時間Ｔmax 以内で同じ階層の層上のＮ個の異なるセルへの再選択を行った場合（従ってあるセル間のピンポン運動もまた留意される場合）、ＵＥ１０は、より大きな隣接セルすなわちサービス中のセルの現層番号よりも大きい層番号をもつセルについて検出／測定手順を開始する。より高い番号をもつセルに対するセルの再選択が、これらの状況下で行われた場合、ＵＥ１０は、即時セル評価がトリガーされない限り、時間Ｘ内でより小さなセルに再選択する試みは行わない。時間Ｘは予め特定されていてもよいし、または、ネットワーク２によって設定されてもよい。
【００４１】
ＵＥ１０がより高い層番号を伴うセルを発見しない場合、高速セルの再選択が行われている限り試行を続ける（例えば、時間Ｔmax内でＮ個の異なるセルに対する少なくともＮ回のセルの再選択）。ＮおよびＴmax基準がもはや満たされなくなると直ちに、より大きなセルについてのサーチが終了されることのないように、この活動にＴhysterisisを加えることもできる。Ｔhysterisisは、例えば車が信号で突然停止するという状況下で一助となる。Ｔhysterisisの使用は、このタイプのより大きなセルの測定が開始された場合、セルの再選択速度が時間Ｔmax2＝Ｔmax＋Ｔhysterisis内でＮ個未満の異なるセルでない限り、それが終了されることはない、ということを意味している。
【００４２】
Ｎ，Ｔmax およびＴhysterisisが、ネットワーク２によりパラメータ化されて与えられるかまたは、ある値の範囲内で規格化するときに規定される、という点に留意すべきである。
【００４３】
セルの再選択基準Ｓn＞０およびＱn＞Ｑs＋Ｑoffsets.n＋Ｑhystを満たし、上述の規則に基づいて測定される異なるセルが、Ｑn−Ｑoffsets.nまたはＱnといったような品質測度を用いて互いに比較される。そして最大の品質測度（Ｑn−Ｑoffsets,nまたはＱn）をもつセルが再選択される。
【００４４】
本発明の技術思想が、アイドルモードでのＵＥによる使用に制限されるものではなく、接続状態にあるときでもＵＥ１０により同様に利用され得るという点に留意すべきである。
【００４５】
上述のような測定および再選択手順を制御することにより、ユーザ機器の電力消費をより良く制御することができ、より長い通話および待機時間が可能になるということが理解される。また、測定および再選択手順を行うときのユーザ機器処理量が削減されることから、ユーザ機器がネットワーク２からのページメッセージを紛失する確率は低くなる。また、本発明を使用することにより、ネットワークオペレータ２は、セルラー構造の構成をより良く最適化できるようになる。
【００４６】
本発明についてその好ましい実施形態に関して特に図示し記述してきたが、当業者であれば、本発明の範囲および精神から逸脱することなく形式および細部の変更を行うことができるということを理解できるであろう。
【図面の簡単な説明】
【図１】  本発明を実施するのに適した無線通信システムのブロック図である。
【図２】  階層セル構造の一例を示す図である。
【図１】
0004503904.tif 000002
【図２】
0004503904.tif 000003